(57)【要約】【課題】１本のドライバーで２種の刃先を使用することができ、かつ軸の長さを任意に変更することのできるドライバーを提供する。【解決手段】ドライバー１Ａが、両端に異なる刃先３ａ、３ｂを有する軸２、及び軸２が嵌入される軸嵌入用貫通孔１２を有し、軸２上の任意の位置にスライド可能なハンドル１０を備えている。軸２及び軸嵌入用貫通孔１２の横断面は多角形であり、ハンドル１０が、該ハンドル１０を軸２に固定させる部材の挿入を可能とする軸固定用貫通孔１１を有する。ハンドル１０には、該ハンドル１０を軸２に固定させる軸固定部を設けてもよい。軸２の表面には該軸の長手方向に凹凸が繰り返された歯部４を設けることが好ましい。【選択図】図１Ａ
2019198910.tif 000002
【特許請求の範囲】
【請求項１】
両端に異なる刃先を有する軸、及び
軸が嵌入される軸嵌入用貫通孔を有し、軸上の任意の位置にスライド可能なハンドル
を備えたドライバーであって、
軸及び軸嵌入用貫通孔の横断面が多角形であり、
ハンドルが、該ハンドルを軸に固定させる棒状部材の挿入を可能とする軸固定用貫通孔を有するライバー。
【請求項２】
両端に異なる刃先を有する軸、及び
軸が嵌入される軸嵌入用貫通孔を有し、軸上の任意の位置にスライド可能なハンドル
を備えたドライバーであって、
軸及び軸嵌入用貫通孔の横断面が多角形であり、
ハンドルが、該ハンドルを軸に固定させる軸固定部を有するドライバー。
【請求項３】
軸及び軸嵌入用貫通孔の横断面が６角形である請求項１又は２記載のドライバー。
【請求項４】
軸の表面に該軸の長手方向に凹凸が繰り返された歯部が形成されている請求項１〜３のいずれかに記載のドライバー。
【請求項５】
歯部が、横断面が６角形の棒状部材と係合する形状を有する請求項４記載のドライバー。
【請求項６】
歯部が、一方の刃先の基部から他方の刃先の基部にかけて形成されている請求項４又は５記載のドライバー。
【請求項７】
一方の刃先がプラス型で他方の刃先がマイナス型である請求項１〜６のいずれかに記載のドライバー。
【発明の詳細な説明】
【技術分野】
【０００１】
本発明は、軸の両端に異なる刃先を有し、軸長を任意の長さに変更することのできるドライバーに関する。
【背景技術】
【０００２】
従来、プラスドライバーとしてもマイナスドライバーとしても使用できるプラス・マイナス兼用ドライバーとして、軸の一端にプラス型刃先を設けると共に他端にマイナス型刃先を設け、軸を反転させてハンドルに装着できるようにしたもの（特許文献１、特許文献２）、マイナス型刃先と、該マイナス型刃先に組み合わせることによりプラス型刃先を形成するスライド可能な刃先とから刃先を形成し、スライド可能な刃先の押し出しと引き込みを可能としたもの（特許文献３）等がある。
【先行技術文献】
【特許文献】
【０００３】
【特許文献１】実用新案登録第３０２７８７３号公報
【特許文献２】実開昭５７−２８８７７号公報
【特許文献３】特開２００１−２２５２７７号公報
【発明の概要】
【発明が解決しようとする課題】
【０００４】
従来のプラス・マイナス兼用ドライバーは、使用する刃先をプラス型にもマイナス型にも変えることはできるが、刃先とハンドルの間の軸長を変えることができない。しかしながら、ドライバーの使用場面には、軸が長くないと目的とするネジに刃先が届かない場合や、軸を短くしないとねじ込みにくい場合があるため、従来のドライバーは使い勝手が悪いという問題があった。
【０００５】
これに対し、本発明は、１本のドライバーで２種の刃先を使用することができ、かつ軸長を任意の長さに変更することのできるドライバーの提供を課題とする。
【課題を解決するための手段】
【０００６】
本発明者は、ドライバーの軸の両端に異なる刃先を設けると共に、ハンドルにその軸が嵌入される軸嵌入用貫通孔を形成し、軸と軸嵌入用貫通孔の横断面を共に多角形にすると、軸上の任意の位置にハンドルをスライド可能とし、かつハンドルの軸周りの回転を軸に伝えやすいこと、この場合、ハンドルと軸を固定できるようにするのが好ましいことを想到し、本発明を完成させた。
【０００７】
即ち、本発明は第１の態様として、両端に異なる刃先を有する軸、及び
軸が嵌入される軸嵌入用貫通孔を有し、軸上の任意の位置にスライド可能なハンドル
を備えたドライバーであって、
軸及び軸嵌入用貫通孔の横断面が多角形であり、
ハンドルが、該ハンドルを軸に固定させる棒状部材の挿入を可能とする軸固定用貫通孔を有するライバーを提供する。
【０００８】
また、本発明は第２の態様として、両端に異なる刃先を有する軸、及び
軸が嵌入される軸嵌入用貫通孔を有し、軸上の任意の位置にスライド可能なハンドル
を備えたドライバーであって、
軸及び軸嵌入用貫通孔の横断面が多角形であり、
ハンドルが、該ハンドルを軸に固定させる軸固定部を有するドライバーを提供する。
【発明の効果】
【０００９】
本発明のドライバーは、軸の両端に異なる刃先を有し、その軸上の任意の位置にハンドルをスライドさせることができるので、１本のドライバーで２種の刃先を備えた手動ドライバーとして使用することができ、かつ使用場面に応じて軸長を好ましい長さに調整することができる。また、軸の両端に異なる刃先を有し、その軸上の任意の位置にハンドルをスライドさせることにより、本発明のドライバーを電動ドライバーの両刃のビットとしても使用することもできる。
【００１０】
また、本発明のドライバーによれば、ハンドルは、軸を嵌入させる軸嵌入用貫通孔を有し、軸と軸嵌入用貫通孔の横断面が多角形であるので、軸嵌入用貫通孔に軸を嵌入させてハンドルを軸周りに回転させることにより、その回転を軸に伝え、軸の空回りを防止することができる。
【００１１】
特に、本発明の第１の態様によれば、ハンドルを軸に固定させる棒状部材の挿入を可能とする軸固定用貫通孔を有するので、この棒状部材として、例えば、一般的な第２のドライバーの軸を使用することとし、軸固定用貫通孔の孔径を第２のドライバーの軸に合わせると、第２のドライバーの軸を軸固定用貫通孔に押し込むことにより、ハンドルと軸の該軸の周方向のズレをなくすと共に、ハンドルと軸を該軸の長手方向にも固定することができる。したがって、本発明のドライバーでねじ込みを良好に行うことが可能となり、さらに、軸固定用貫通孔に軸を挿入した第２のドライバーを、本発明のドライバーでねじ込みを行う際のレンチとして使用することも可能となる。
【００１２】
一方、本発明の第２の態様によれば、ハンドルが、該ハンドルを軸に固定させる軸固定部を有するので、第１の態様のように軸固定用貫通孔に挿入する部材を使用しなくても、ハンドルと軸の軸周りのズレや軸の長手方向のズレを防止し、ねじ込みを良好に行うことが可能となる。
【図面の簡単な説明】
【００１３】
【図１Ａ】図１Ａは、実施例のドライバー１Ａの斜視図、及びその部分拡大断面図である。
【図１Ｂ】図１Ｂは、実施例のドライバー１Ａの軸の斜視図である。
【図２】図２は、実施例のドライバー１Ａの軸固定用貫通孔に第２のドライバーの軸が挿入された状態の斜視図である。
【図３Ａ】図３Ａは、実施例のドライバー１Ａの軸の歯部と第２のドライバーの軸との係合状態の説明図である。
【図３Ｂ】図３Ｂは、実施例のドライバー１Ａの軸の歯部と第２のドライバーの軸との係合状態の説明図である。
【図４】図４は、実施例のドライバー１Ａを両刃ビットとして取り付けた電動ドライバーの側面図である。
【図５】図５は、実施例のドライバー１Ｂの斜視図である。
【図６Ａ】図６Ａは、実施例のドライバー１Ｂにおいて軸固定用貫通孔に第２のドライバーが挿入されていない状態の断面図である。
【図６Ｂ】図６Ｂは、実施例のドライバー１Ｂにおいて軸固定用貫通孔に第２のドライバーが挿入されている状態の断面図である。
【図７Ａ】図７Ａは、実施例のドライバー１Ｃの斜視図である。
【図７Ｂ】図７Ｂは、実施例のドライバー１Ｃの上面図である。
【図８Ａ】図８Ａは、一方の刃先をハンドルから突出させた状態の実施例のドライバー１Ｄの斜視図である。
【図８Ｂ】図８Ｂは、軸固定部として設けられているネジを緩めた状態の実施例のドライバー１Ｄの斜視図である。
【図８Ｃ】図８Ｃは、他方の刃先をハンドルから突出させた状態の実施例のドライバー１Ｄの斜視図である。
【発明を実施するための形態】
【００１４】
以下、本発明を、図面を参照しつつ詳細に説明する。なお、各図において、同一符号は同一又は同等の構成要素を表している。
【００１５】
図１Ａは、本発明の一実施例のドライバー１Ａの斜視図、及びその部分拡大断面図であり、図１Ｂは、このドライバー１Ａに使用されている軸２の斜視図である。
【００１６】
このドライバー１Ａは、軸２の両端に異なる刃先を有している。より具体的には、一方の刃先３ａがプラス型で他方の刃先３ｂがマイナス型である。なお、本発明において、両端の刃先はプラス型とマイナス型に限られず、例えば、歯幅の異なるマイナス型とマイナス型であってもよい。但し、このドライバー１Ａを既存の電動ドライバーの両刃ビットとしても使用できるようにする点から、軸２の径をＪＩＳ規格に従う大きさにすることが好ましい。
【００１７】
軸２の横断面（軸の長手方向に垂直な断面）の形状は６角形であり、軸２の表面には、縦断面（軸を長手方向に平行な断面）において矩形の凹凸が軸２の長手方向に繰り返された歯部４が軸２の一方の刃先の基部から他方の刃先の基部にかけて形成されている。
【００１８】
歯部４の凹凸の繰り返し形状は、ハンドル１０に設けられている軸固定用貫通孔１１に挿入される棒状部材の横断面形状に対応している。この軸固定用貫通孔１１は、そこに棒状部材を挿入することによりハンドル１０を軸２に固定できるようにするための孔であり、例えば、棒状部材として図２に示すようにＪＩＳ規格に従う一般的な第２のドライバー２０の横断面が６角形の軸２２を挿入できるようにする。この場合、歯部４は矩形の凹凸の繰り返しにより形成することができる。
【００１９】
歯部４における凹凸の繰り返しのピッチも、軸固定用貫通孔１１に挿入される棒状部材に対応している。上述のように、棒状部材として第２のドライバー２０の軸２２が使用される場合、歯部４における凹凸の繰り返しピッチは、第２のドライバー２０の軸２２の軸周りの回転によりドライバー１Ａの軸２がその長手方向に送られるようにするものであればよい。したがって、歯部４における凹凸の繰り返しピッチは、図３Ａに示すように第２のドライバー２０の軸２２の横断面の６角形の１辺の長さとほぼ等しくすればよい。あるいは、歯部４における凹凸の繰り返しピッチを、図３Ａに示したピッチの１／２にしてもよい。また、図３Ｂに示すように、ドライバー１Ａの軸２の縦断面において歯部４が３角波形状となるようにしてもよい。
【００２０】
一方、ドライバー１Ａのハンドル１０は軸嵌入用貫通孔１２を有し、軸嵌入用貫通孔１２の横断面形状は、軸２の横断面形状に対応して６角形となっている。したがって、軸２を軸嵌入用貫通孔１２に嵌入させた状態で、ハンドル１０を軸上の任意の位置にスライドさせることができる。軸嵌入用貫通孔１２に嵌入した軸２とハンドル１０とは、それらの横断面形状が６角形で嵌合しているため、軸２とハンドル１０とは、軸２の周方向にはズレにくい。そのため、ねじ込み時にハンドル１０を回すと、その力は良好に刃先３ａ、３ｂに伝わる。また、嵌合度合いをぴったりとしたものにすることにより、軸２がハンドル１０から不用意に抜け落ちることを防止できる。なお、本発明において、軸２の横断面形状は６角形に限られず、多角形であればよく、例えば４角形としてもよい。
【００２１】
上述のように、ハンドル１０には軸固定用貫通孔１１も設けられている。軸固定用貫通孔１１の形成位置は、該軸固定用貫通孔１１へ挿入される棒状部材が歯部４と係合する位置とし、この棒状部材として第２のドライバー２０の軸２２を使用する場合には、軸固定用貫通孔１１に挿入される軸２２と歯部４とが係合する位置とする。一般にドライバーの軸径は規格により所定の径に形成されているから、軸固定用貫通孔１１の孔径は、その規格に適合させることが好ましい。その場合、軸固定用貫通孔１１へ挿入する棒状部材としては、手動ドライバーの軸の他に電動ドライバーのドリルビットの軸等も使用することができる。一方、軸固定用貫通孔１１へ挿入する棒状部材は、ドライバーの軸に限られず、例えば、６角レンチの軸等を使用してもよい。
【００２２】
本実施例のドライバー１Ａのハンドル１０には、歯部４の凹凸と係合し、ハンドル１０を軸２に固定する軸固定部を設けても良い。例えば、図１Ａに示すように、ハンドル１０内に軸固定部として金属製の球体１３を設け、球体１３を歯部４に当接する位置に保持する。軸２上でハンドル１０を軸２の長手方向にスライドさせるときに球体１３が歯部４の凸部に当接すると、球体１３は弾性変形して歯部４を押圧し、歯部４の凹部に当接すると球体１３の変形が戻り、歯部４への押圧が低減又は解除される。これにより、ハンドル１０を軸２上で容易にスライドさせ、かつハンドル１０が軸２から不用意に抜けることを防止することができる。
【００２３】
このドライバー１Ａの使用方法としては、ハンドル１０を軸２上でスライドさせることにより、使用したい方の刃先（３ａ又は３ｂ）をハンドル１０から突出させ、その刃先とハンドル１０との間の軸２の長さを、ドライバー１Ａの使用場面に応じて調整する。
【００２４】
このスライドを、ハンドル１０を直接動かすことにより行っても良いが、上述のように軸固定用貫通孔１１が第２のドライバー２０の軸２２に対応している場合には、軸固定用貫通孔１１に第２のドライバー２０の軸２２を挿入し、その軸２２と歯部４の凹凸とを係合させ、第２のドライバー２０のハンドル２１を軸２２周りに回すことにより実施例のドライバー１Ａの軸２を送り出してもよい。本実施例では、歯部４が一方の刃先３ａの基部から他方の刃先３ｂの基部にかけて形成されているので、ハンドル１０を軸２上の任意の位置に送り出し、ドライバー１Ａのハンドル１０から突出する軸２の長さを所望の長さに調整することができる。この場合、第２のドライバーとして電動ドライバーを使用した場合には、より容易にハンドル１０から軸２を送り出すことができる。
【００２５】
実施例のドライバー１Ａでネジをねじ込む場合に、軸固定用貫通孔１１に第２のドライバー２０の軸２２が挿入されたままとしてもよい。これによりハンドル１０が軸２の長手方向にも軸周りの方向にも不用意にずれることを防止できる。また、第２のドライバー２０をレンチとして使用することができ、ねじ込みの際にねじに強い力をかけることが可能となる。
【００２６】
また、ドライバー１Ａを、ハンドル１０から両方の刃先３ａ、３ｂが突出した状態とし、図４に示すように、ドライバー１Ａを既存の電動ドライバー３０の両刃ビットとして取り付けてもよい。ドライバー１Ａの軸径をＪＩＳ規格に従う一般的な大きさとすることにより、既存の電動ドライバー３０のチャック３１に容易にドライバー１Ａを取り付けることができる。
【００２７】
本発明のドライバーは種々の態様をとることができる。例えば、図５に示したドライバー１Ｂは、図１Ａに示したドライバー１Ａにおいて、軸固定部として、ハンドル１０内に保持した球体１３を設けることに代えて、バネ材により軸２を押圧する方向に付勢されている押圧部材１５をハンドル１０に取り付けたものである。より具体的には、図６Ａに示すように、押圧部材１５は、その先端部が軸２の歯４の凹凸と係合する形状を有しており、バネ材１４により軸２を押圧する。したがって、軸固定用貫通孔１１に棒状部材が挿入されていない状態で、軸２はハンドル１０に固定された状態となる。
【００２８】
また、押圧部材１５の、軸固定用貫通孔１１の開口部１１ａ、１１ｂ側の面１５ａ、１５ｂは軸固定用貫通孔１１の中心軸Ａに対して傾斜している。より具体的には、面１５ａ、１５ｂの軸２側端部がそれと反対側の端部に対して開口部１１ａ、１１ｂから遠ざかるように傾斜している。したがって、第２のドライバー２０の軸２２が軸固定用貫通孔１１に挿入され、その軸２２によって押圧部材１５が押されると、図６Ｂに示すように押圧部材１５は容易に軸２から遠ざかる方向に押し上げられ、軸２２が歯部４に押し付けられ、軸２２と歯部４の係合が強くなる。したがって、第２のドライバーの軸２２を軸周りに回転させることにより、ドライバー１Ｂの軸２をその長手方向に容易に送り出すことができる。
【００２９】
図７Ａに示したドライバー１Ｃは、ハンドル１０に軸固定用貫通孔１１が設けられておらず、軸固定部として、軸２の歯部４に係合する歯車を有するダイアル１６がハンドル１０に設けられている。このドライバー１Ｃによれば、ダイアル１６を回すことにより、軸２をハンドル１０から任意の軸長で送り出し、その位置で軸２をハンドル１０に固定することができる。
【００３０】
図８Ａに示したドライバー１Ｄは、軸２に歯部４が設けられていない。また、ハンドル１０には軸固定用貫通孔１１が設けられておらず、ハンドル１０を軸２に固定する軸固定部として、軸２を押圧するネジ１７が設けられている。同図に示したようにネジ１７がねじ込まれた状態ではハンドル１０が軸２に固定されるが、ネジ１７を回すことにより、図８Ｂに示すようにネジ１７の先端部が軸２から離れると、ハンドル１０は軸２上の任意の位置にスライドさせることができる。したがって、例えば図８Ａに示すようにハンドル１０内に位置していた刃先３ｂを、図８Ｃに示すように任意の軸長でハンドル１０から突出させ、ネジ１７をねじ込み、ハンドル１０の軸２上の位置を固定することができる。
【００３１】
本発明において、上述した軸固定用貫通孔１１や軸固定部は適宜組み合わせて設けることができる。また、軸固定部の構成は特に限定されない。軸２を所望の軸長でハンドル１０に固定するための構成、又は軸２をハンドル１０から送り出すための構成として、例えば、軸２の歯部４を利用したラチェット機構をハンドル１０に設けてもよい。
【符号の説明】
【００３２】
１Ａ、１Ｂ、１Ｃ、１Ｄ  ドライバー
２    軸
３ａ、３ｂ    刃先
４    歯部
１０    ハンドル
１１    軸固定用貫通孔
１２    軸嵌入用貫通孔
１３    球体
１４    バネ材
１５    押圧部材
１６    ダイアル
１７    ネジ
２０    第２のドライバー
２１    第２のドライバーのハンドル
２２    第２のドライバーの軸
３０    電動ドライバー
３１    チャック
【図１Ａ】
2019198910.tif 000003
【図１Ｂ】
2019198910.tif 000004
【図２】
2019198910.tif 000005
【図３Ａ】
2019198910.tif 000006
【図３Ｂ】
2019198910.tif 000007
【図４】
2019198910.tif 000008
【図５】
2019198910.tif 000009
【図６Ａ】
2019198910.tif 000010
【図６Ｂ】
2019198910.tif 000011
【図７Ａ】
2019198910.tif 000012
【図７Ｂ】
2019198910.tif 000013
【図８Ａ】
2019198910.tif 000014
【図８Ｂ】
2019198910.tif 000015
【図８Ｃ】
2019198910.tif 000016
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
両端に異なる刃先を有する軸、及び
軸が嵌入される軸嵌入用貫通孔を有し、軸上の任意の位置にスライド可能なハンドル
を備えたドライバーであって、
軸及び軸嵌入用貫通孔の横断面が多角形であり、
ハンドルが、該ハンドルを軸に固定させる棒状部材の挿入を可能とする軸固定用貫通孔を
有するドライバー。
【請求項２】
両端に異なる刃先を有する軸、及び
軸が嵌入される軸嵌入用貫通孔を有し、軸上の任意の位置にスライド可能なハンドル
を備えたドライバーであって、
軸及び軸嵌入用貫通孔の横断面が多角形であり、
ハンドルが、該ハンドルを軸に固定させる軸固定部を有するドライバー。
【請求項３】
軸及び軸嵌入用貫通孔の横断面が６角形である請求項１又は２記載のドライバー。
【請求項４】
軸の表面に該軸の長手方向に凹凸が繰り返された歯部が形成されている請求項１〜３の
いずれかに記載のドライバー。
【請求項５】
歯部が、横断面が６角形の棒状部材と係合する形状を有する請求項４記載のドライバー
。
【請求項６】
歯部が、一方の刃先の基部から他方の刃先の基部にかけて形成されている請求項４又は
５記載のドライバー。
【請求項７】
一方の刃先がプラス型で他方の刃先がマイナス型である請求項１〜６のいずれかに記載
のドライバー。
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
両端に異なる刃先を有する軸、及び
軸が嵌入される軸嵌入用貫通孔を有し、軸上の任意の位置にスライド可能なハンドルを備えたドライバーであって、
軸及び軸嵌入用貫通孔の横断面が多角形であり、
軸の表面に該軸の長手方向に凹凸が繰り返された歯部を有し、該凹凸の繰り返し形状が、横断面が６角形の棒状部材と係合する形状であり、
ハンドルが、該ハンドルを軸に固定させる棒状部材の挿入を可能とする軸固定用貫通孔を有するドライバー。
【請求項２】
両端に異なる刃先を有する軸、及び
軸が嵌入される軸嵌入用貫通孔を有し、軸上の任意の位置にスライド可能なハンドル
を備えたドライバーであって、
軸及び軸嵌入用貫通孔の横断面が多角形であり、
ハンドルが、該ハンドルを軸に固定させる軸固定部を有するドライバー。
【請求項３】
軸及び軸嵌入用貫通孔の横断面が６角形である請求項１又は２記載のドライバー。
【請求項４】
歯部が、一方の刃先の基部から他方の刃先の基部にかけて形成されている請求項１〜３のいずれかに記載のドライバー。
【請求項５】
一方の刃先がプラス型で他方の刃先がマイナス型である請求項１〜４のいずれかに記載のドライバー。
【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
両端に異なる刃先を有する軸、及び
軸が嵌入される軸嵌入用貫通孔を有し、軸上の任意の位置にスライド可能なハンドルを備えたドライバーであって、
軸及び軸嵌入用貫通孔の横断面が多角形であり、
軸の表面に該軸の長手方向に凹凸が繰り返された歯部を有し、該凹凸の繰り返し形状が、横断面が６角形の棒状部材と係合する形状であり、
ハンドルが、該ハンドルを軸に固定させる棒状部材の挿入を可能とする軸固定用貫通孔を有するドライバー。
【請求項２】
両端に異なる刃先を有する軸、及び
軸が嵌入される軸嵌入用貫通孔を有し、軸上の任意の位置にスライド可能なハンドルを備えたドライバーであって、
軸及び軸嵌入用貫通孔の横断面が多角形であり、
ハンドルが、該ハンドルを軸に固定させる軸固定部を有する請求項１記載のドライバー。
【請求項３】
軸及び軸嵌入用貫通孔の横断面が６角形である請求項１又は２記載のドライバー。
【請求項４】
歯部が、一方の刃先の基部から他方の刃先の基部にかけて形成されている請求項１〜３のいずれかに記載のドライバー。
【請求項５】
一方の刃先がプラス型で他方の刃先がマイナス型である請求項１〜４のいずれかに記載のドライバー。